(57)【要約】  【課題】  薄型表示装置および液晶表示装置の軽量化、薄型化を可能にする。  【解決手段】  液晶パネルおよびその背面に位置するバックライト装置の前後を成形品からなる前・後キャビネットにより挟圧保持する構造をした液晶表示装置において、前記前キャビネットの液晶パネルに対応する開口部の内周部に一体形成されて、液晶パネルの外周縁部の前面に緩衝部材を介して当接する額縁状の液晶パネル前面当接部と、該液晶パネル前面当接部の外周側の前キャビネットに締結支持されるとともに、液晶パネルの外周縁部の後面に緩衝部材を介して当接する液晶パネル後面当接部とを備える。前記バックライト装置の外周に取付フランジを突設して、該取付フランジを前記液晶パネル後面当接部と重ねて前キャビネットに締結して、液晶パネルおよびバックライト装置を前キャビネットにより支持する。【選択図】  図４
2006235425.tif 000002
【特許請求の範囲】
【請求項１】
成形品からなる前後のキャビネットにより装置本体を挟圧保持する構造の薄型表示装置において、
表示パネルの縁部は、該表示パネルに対応する開口部を有する前記前キャビネットと、表示パネル後面当接体とにより、緩衝部材を介して挟圧保持されることを特徴とする薄型表示装置。
【請求項２】
表示パネルおよびその後方に位置するバックライト装置および表示装置の駆動回路部等を成形品からなる前後のキャビネットにより挟圧保持する構造をした薄型表示装置において、
表示パネルの縁部は、該表示パネルに対応する開口部を有する前記前キャビネットと、表示パネル後面当接体とにより、緩衝部材を介して挟圧保持されることを特徴とする薄型表示装置。
【請求項３】
請求項２に記載の薄型表示装置において、
前記バックライト装置の外周に取付フランジを突設して、該取付フランジを前記表示パネル後面当接体と重ねて前キャビネットに締結して、表示パネルおよびバックライト装置を前キャビネットにより支持したことを特徴とする薄型表示装置。
【請求項４】
請求項３に記載の薄型表示装置において、
前記表示パネル後面当接体は一方の面が前記表示パネルの縁部に緩衝部材を介して当接し、他方の面は僅かの隙間を有して前記バックライト装置の光学シートに対向することを特徴とする薄型表示装置。
【請求項５】
請求項３に記載の薄型表示装置において、
前記表示パネル後面当接体は、前記表示パネルの縁部に緩衝部材を介して当接する面と、僅かの隙間を有して前記バックライト装置の光学シートに対向する面と、前記バックライト装置の蛍光管電極部を覆うゴムキャップを押圧する面を有することを特徴とする薄型表示装置。
【請求項６】
請求項１乃至５のいずれかに記載の薄型表示装置において、
前記前キャビネット側の緩衝部材と前記表示パネル側の緩衝部材はそれらの外側を連続一体化して断面コ字形に形成したことを特徴とする薄型表示装置。
【請求項７】
請求項１乃至５のいずれかに記載の薄型表示装置において、
前記前キャビネットの前記表示パネルに対向する側の面は、少なくとも前記緩衝部材を介して間接的に前記表示パネルを押圧する領域には連続するリブを突設してセル構造としたことを特徴とする薄型表示装置。
【請求項８】
請求項７に記載の薄型表示装置において、
前記セル構造は連続する六角形状のリブを突設してハニカム構造としたことを特徴とする液晶表示装置。
【請求項９】
表示パネルおよびその後方に位置するバックライト装置および表示装置の駆動回路部等を成形品からなる前後のキャビネットにより挟圧保持する構造をした薄型表示装置において、
背面側を上面にして載置された前キャビネットに緩衝部材を介して表示パネルの外周縁を載置し、該表示パネル外周縁に緩衝部材を介して表示パネル後面当接体を重ね、前記表示パネル後面当接体にバックライト装置を重ねた後、該バックライト装置が前記表示パネル後面当接体を挟み込んだ状態でバックライト装置側から前キャビネットにビス締結することを特徴とした薄型表示装置の組立方法。
【請求項１０】
表示パネルおよびその後方に位置するバックライト装置および表示装置の駆動回路部等を成形品からなる前後のキャビネットにより挟圧保持する構造をした薄型表示装置において、
背面側を上面にして載置された前キャビネットに外周縁が断面コ字形の一体化緩衝部材に覆われた表示パネルを載置し、次に該表示パネル外周縁の一方の一体化緩衝部材に表示パネル後面当接体を重ね、前記表示パネル後面当接体にバックライト装置を重ねた後、該バックライト装置が前記表示パネル後面当接体を挟み込んだ状態でバックライト装置側から前キャビネットにビス締結することを特徴とした薄型表示装置の組立方法。
【発明の詳細な説明】
【技術分野】
【０００１】
本発明は、薄型表示装置および液晶表示装置ならびに液晶表示装置の組立方法に関し、詳しくはバックライト装置の前面に配置される液晶パネル等の表示パネルを、専用の保持部材であるベゼルを用いることなく、前キャビネットにより直接押圧保持することで、より薄型化、軽量化ならびに組立工程の短縮化を実現した薄型表示装置および液晶表示装置ならびに液晶表示装置の組立方法に関する。
【背景技術】
【０００２】
従来、液晶テレビ等の液晶表示装置は、バックライト装置の外周の筐体部分に、額縁状のパネルホルダーを組み付け、そのパネルホルダーの前面に液晶パネルの外周部を重ね、さらにその外側を断面Ｌ字形をした額縁状のベゼルにより覆い、そのベゼルを前キャビネットにより支えていた。このように液晶パネルの外周をベゼルで押さえ、その外側をキャビネットにより支持する構成をした液晶表示装置として、特許文献１に記載の「液晶表示装置」がある。
【特許文献１】特開平０６−２２２３３５号公報
【発明の開示】
【発明が解決しようとする課題】
【０００３】
ところで、液晶テレビでは、画面の大型化が進むと同時に、本体の軽量化が求められている。画面の大型化と本体の軽量化は相反するものであり、画面を大型化すると、大型になった画面を支えるために、それを支える本体部分が構造的に頑強となり、重量が増大することになる。そのため、画面を大型化しても、本体を軽量化することが、大きな課題であった。そこで本発明は、画面が大型化されても、本体の軽量化、薄型化が可能な薄型表示装置および液晶表示装置を提案することを目的とした。
【課題を解決するための手段】
【０００４】
上記課題を解決するために、本発明に係る薄型表示装置は、成形品からなる前後のキャビネットにより装置本体を挟圧保持する構造の薄型表示装置において、表示パネルの縁部は、該表示パネルに対応する開口部を有する前記前キャビネットと、表示パネル後面当接体とにより、緩衝部材を介して挟圧保持されることを特徴とする。ここで、前記前キャビネットの少なくとも緩衝部材を介して間接的に押圧する部位はその背面側に連続する六角形のリブを突設してハニカム構造やその他のセル構造にすることが好ましい。さらに、前記前面側の緩衝部材と後面側の緩衝部材の外側を連続一体化して断面コ字形に形成することも可能である。
【０００５】
また、本発明に係る薄型表示装置は、表示パネルおよびその後方に位置するバックライト装置および表示装置の駆動回路部等を成形品からなる前後のキャビネットにより挟圧保持する構造をした薄型表示装置において、表示パネルの縁部は、該表示パネルに対応する開口部を有する前記前キャビネットと、表示パネル後面当接体とにより、緩衝部材を介して挟圧保持されることを特徴とする。ここで、前記バックライト装置の外周に取付フランジを突設して、該取付フランジを前記表示パネル後面当接部と重ねて前キャビネットに締結して、表示パネルおよびバックライト装置を前キャビネットにより支持することが可能である。また、前記前キャビネットの少なくとも緩衝部材を介して間接的に押圧する部位はその背面側に連続する六角形のリブを突設してハニカム構造やその他のセル構造にすることが好ましい。さらに、前記前面側の緩衝部材と後面側の緩衝部材の外側を連続一体化して断面コ字形に形成することも可能である。
【０００６】
また、本発明に係る薄型表示装置の組立方法は、表示パネルおよびその後方に位置するバックライト装置および表示装置の駆動回路部等を成形品からなる前後のキャビネットにより挟圧保持する構造をした薄型表示装置において、背面側を上面にして載置された前キャビネットに緩衝部材を介して表示パネルの外周縁を載置し、該表示パネル外周縁に緩衝部材を介して表示パネル後面当接体を重ね、前記表示パネル後面当接体にバックライト装置を重ねた後、該バックライト装置が前記表示パネル後面当接体を挟み込んだ状態でバックライト装置側から前キャビネットにビス締結することを特徴とした。
【０００７】
また、本発明に係る薄型表示装置の組立方法は、表示パネルおよびその後方に位置するバックライト装置および表示装置の駆動回路部等を成形品からなる前後のキャビネットにより挟圧保持する構造をした薄型表示装置において、背面側を上面にして載置された前キャビネットに外周縁が断面コ字形の一体化緩衝部材に覆われた表示パネルを載置し、次に該表示パネル外周縁の一方の一体化緩衝部材に表示パネル後面当接体を重ね、前記表示パネル後面当接体にバックライト装置を重ねた後、該バックライト装置が前記表示パネル後面当接体を挟み込んだ状態でバックライト装置側から前キャビネットにビス締結することを特徴とした。
【発明の効果】
【０００８】
以上述べたように本発明によれば、表示パネルを、従来用いていたベゼルを使用しないで、直接、表示パネル後面当接部を前キャビネットに取り付けたため、部品点数が削減されて、その分、軽量化、薄型化が可能となる。また、薄型表示装置においては、バックライト装置を前キャビネットにより支持する構造としたため、薄型表示装置の組み立て手順が、前キャビネットから順に組み付けていくことが可能となり、組み立て工程が一貫されて、単純になった分、コスト削減も可能となる。
【発明を実施するための最良の形態】
【０００９】
以下、図に基づいて本発明の実施形態を説明する。
図１〜図３は本発明に係る液晶テレビの外観図であり、図４は液晶テレビのバックライトと液晶パネルの支持構成要部を示す断面図であり、図５は図４の前キャビネットを単体で示した部分背面図であり、図６は液晶テレビの組み立て手順を示す分解斜視図である。図１〜図３において、１００は画像表示を行う液晶パネル、１０１は前キャビネット、１０２は後ろキャビネット、１０３は液晶テレビ本体の操作ボタン類、１０４はスピーカー、１０５はスタンドを表す。
【００１０】
次に、本発明の液晶テレビにおける液晶パネルの支持構造について説明する。図４において、１は板金製のバックライトシャーシであり、その内側上面に、光源である蛍光管２が配設され、蛍光管電極２ａはリード線２ｃを介し図示しないインバータ回路へ接続され、蛍光管電極２ａ部分とリード線２ｃは絶縁性のゴムキャップ２ｂに覆われ、ゴムキャップ２ｂはバックライトシャーシ開口部１ａに固定される。樹脂製のランプホルダー３は蛍光管２の端部を覆いランプホルダー当接面３ａにてゴムキャップ２ｂを押圧する状態でバックライトシャーシ１にビス固定される。蛍光管２の上方には、端部がランプホルダー平坦部３ｂに載置された拡散板４および光学シート５が配置されている。これらにより、バックライト装置が構成される。バックライトシャーシ１の立ち上がり部とランプホルダー３との間には、断面Ｌ字形の板金製のパネルフレーム６の片側が挟み込まれている。
【００１１】
このパネルフレーム６の上面には、断面クランク形状をして額縁状に形成された樹脂製のパネルホルダー７が重ねられている。液晶パネル後面当接部であるところのパネルホルダー７の内周部は、一段低く形成されその段差部分７ａに、緩衝部材８を介して、液晶パネル９（図１の液晶パネル１００に相当）の外周縁部が押圧固定されている。前キャビネット１１（図１〜３の前キャビネット１０１に相当）の開口部の内周部は額縁状に形成され、額縁状の先端部は液晶パネル前面当接部１２として下面に貼られた緩衝部材１０を介して液晶パネル９の外周縁部の上面に当接され、液晶パネル９は緩衝部材８と緩衝部材１０にて押圧固定されることになる。
【００１２】
これら緩衝部材８，１０は、断面矩形状をした帯状のエラストマが好ましい。また、これら緩衝部材８，１０は予め、段差部分７ａや、液晶パネル前面当接部１２に貼着しておくことで、組立の作業性が向上する。なお、これら緩衝部材８，１０をその外周部を延設して一体化し、断面コ字形の緩衝部材として、液晶パネル９の外周縁部に嵌着することも可能である。その場合は、貼着作業が不要となり、さらに組立の作業性が向上する。
【００１３】
パネルホルダー７の外周部に形成された段差部７ｂは、バックライトシャーシ１の立ち上がり部から突設された取付フランジ１３に重ねられ、さらに上面には、前キャビネット１１のボス部１４の下面が当接されている。この状態で取付フランジ１３の下面側からビス１５がボス部１４に螺着されることで、バックライト装置を支えるバックライトシャーシ１および液晶パネル９の下面を支えるパネルホルダー７が、前キャビネット１１に締結される。前キャビネット１１の額縁状に形成された少なくとも液晶パネル前面当接部１２を含めた領域の液晶パネル９側の面は、図５に示されるように、リブが六角形状に突設されたハニカム構造としたことで、必要な剛性を保持しつつ、前キャビネット１１の軽量化が図られる。図４においては、パネルホルダー７当接部から液晶パネル前面当接部１２までがハニカム構造が施されている。
【００１４】
上述したように、液晶テレビの液晶パネル９を直接前キャビネット１１に取り付けて支持する構造としたため、従来、使用していたベゼルが不要となり、その分、部品点数が減り、軽量化、薄型化が可能となる。また、このような構造としたことで、液晶テレビの組み立て手順も、図６に示されるように、最初に、前キャビネット１１を背面側を上にして置き、液晶パネル前面当接部１２裏面の緩衝部材１０の位置に液晶パネル９を置き、その上に、パネルホルダー７の緩衝部材８部を液晶パネル９の端部に位置合わせをしながらパネルホルダー７を置き、さらに、別途蛍光管２やランプホルダー３やパネルフレーム６がバックライトシャーシ１組み込まれたバックライト装置を準備し、バックライトシャーシ１の取付フランジ１３部をパネルホルダー７上に重ねる。
【００１５】
このとき、バックライト装置の前面には、拡散板４および光学シート５が装着されていて、光学シート５の前方に、液晶パネル９が配置される。次に、バックライトシャーシ１の側部に突設されている取付フランジ１３にビス１５を挿通してボス部１４に締結する。次いで、図示しないが、バックライトシャーシ１の液晶パネル９面とは逆の面に回路基板その他の部品を取り付けた後、後キャビネット１０２を嵌め込み、前キャビネット１１に締結することで完成する。このようにして組み立てることで、液晶テレビの一貫生産が可能となり、組み立て工程が短縮された分、コスト削減が可能となる。
【００１６】
なお、図示例では、液晶パネル前面当接部１２の下面部分をハニカム構造としたが、リブの配置パターンを格子状やレンガ積みその他のパターンにしたセル構造にすることも可能である。また、本実施の形態ではパネルフレーム６とパネルホルダー７を別部で説明したが、一体の成型品とすることも可能であり、更にはランプホルダー３とパネルフレーム６とパネルホルダー７を一体成型することも可能である。また、図示例は液晶テレビについて説明したが、他のＰＤＰテレビ等の薄型表示装置についても、バックライト装置を除いた部分の構造が適用可能であり、装置本体の薄型化、軽量化が可能となる。
【産業上の利用可能性】
【００１７】
本発明は、液晶テレビ以外に、ＰＤＰテレビ等の全ての薄型表示装置について利用可能である。
【図面の簡単な説明】
【００１８】
【図１】本発明に係る液晶テレビの外観図である。
【図２】本発明に係る液晶テレビの外観図である。
【図３】本発明に係る液晶テレビの外観図である。
【図４】液晶テレビの要部を示す断面図である。
【図５】図４の前キャビネットを単体で示した部分背面図である。
【図６】液晶テレビの組み立て手順を示す分解斜視図である。
【符号の説明】
【００１９】
１  バックライトシャーシ
２  蛍光管
３  ランプホルダー
４  拡散板
５  光学シート
６  パネルフレーム
７  パネルホルダー
７ａ，７ｂ  段差部
８  緩衝部材
９  液晶パネル
１０  緩衝部材
１１  前キャビネット
１２  液晶パネル前面当接部
１３  取付フランジ
１４  ボス部
１５  ビス
１００  液晶パネル
１０１  前キャビネット
１０２  後ろキャビネット
１０３  液晶テレビ本体の操作ボタン類
１０４  スピーカー
１０５  スタンド
【図１】
2006235425.tif 000003
【図２】
2006235425.tif 000004
【図３】
2006235425.tif 000005
【図４】
2006235425.tif 000006
【図５】
2006235425.tif 000007
【図６】
2006235425.tif 000008